(57)【要約】【課題】仏飯器本体の美観の維持が容易であり、ご飯を入れる収容部の洗浄や取り扱いが簡単な仏飯器を提供する。【解決手段】収容部１２を保持する受け部１６と、収容部１２が嵌合して収容部１６とともに受け部１２に載置され、側方に保持部２４を備えた嵌合支持部材２２とから成る。嵌合支持部材２２は、合成樹脂等で環状に形成され側方に保持部２４が突出している。嵌合支持部材２２は、収容部１２の鍔部１２ａと受け部１６の上端縁１６ｂとの間に挟持され、保持部２４が受け部１４の側方に突出する。収容部１２の側面には、嵌合支持部材２２が係合する凸部１２ｂを備えたものである。【選択図】図１
0003140185.tif 000002
【実用新案登録請求の範囲】
【請求項１】
ご飯を収容する収容部と、前記収容部を保持する受け部と、前記収容部が嵌合して前記収容部とともに前記受け部に載置され側方に保持部を備えた嵌合支持部材とから成ることを特徴とする仏飯器。
【請求項２】
前記嵌合支持部材は、環状に形成され側方に前記保持部が突出し、前記収容部が嵌合されて、前記収容部の鍔部と前記受け部の上端縁との間に挟持され、前記保持部が前記受け部の側方に突出することを特徴とする請求項1記載の仏飯器。
【請求項３】
前記嵌合支持部材は、合成樹脂製であることを特徴とする請求項２記載の仏飯器。
【請求項４】
前記収容部の側面には、前記嵌合支持部材が係合する凸部を備えたことを特徴とする請求項３記載の仏飯器。
【請求項５】
前記受け部とこの受け部を支持した支柱部と台座部から成る仏飯器本体を備え、前記収容部は、前記受け部の凹部に収容されて側方からは見えなくなることを特徴とする請求項４記載の仏飯器。
【考案の詳細な説明】
【技術分野】
【０００１】
この考案は、ご飯を盛って仏前にお供えするための仏飯器に関する。
【背景技術】
【０００２】
従来、ご飯を盛込み仏前に供える仏飯器は、ご飯を入れる盛込部と、支柱部と台座部から成る形状であった。しかし、ご飯を入れたり洗浄したりすることにより、仏飯器の金属光沢面に腐食や、変色、傷等が生じ、美観を長期に亘って維持することが難しいものであった。
【０００３】
そこで、特許文献１に開示されているように、ご飯を入れる盛込部体を別部材で設け、取り外しを容易にするための把持部を盛込部体に備え、盛込部体を仏飯器本体の受容部で受ける仏飯器が提案されている。この仏飯器は、盛込部体が不銹鋼板によって形成され、適宜別体成形された把持部が盛込部体に接合され、把持部には弯曲凹入面が形成されているものである。
【特許文献１】実用新案登録第２５８５６６９号公報
【考案の開示】
【考案が解決しようとする課題】
【０００４】
上記背景技術の特許文献１に開示されたものの場合、ご飯の処理および仏飯器の洗浄にあたり仏飯器本体を取り扱う必要がなく、盛込部体のみを洗浄すれば良いという有利性がある。しかし、盛込部体と仏飯器本体の受容部が金属で形成され、互いに当接し合って傷つけたり、盛込部体を受容部に入れる際に異音が生じたり、載置状態の安定性が悪いと言う問題もあった。
【０００５】
この考案は、上記背景技術の問題点に鑑みてなされたもので、仏飯器本体の美観の維持が容易であり、ご飯を入れる収容部の洗浄や取り扱いが簡単な仏飯器を提供することを目的とする。
【課題を解決するための手段】
【０００６】
ご飯を収容する収容部と、前記収容部を保持する受け部と、前記収容部が嵌合して前記収容部とともに前記受け部に載置され側方に保持部を備えた嵌合支持部材とから成る仏飯器である。
【０００７】
前記嵌合支持部材は、環状に形成され側方に前記保持部が突出し、前記収容部が嵌合されて、前記収容部の鍔部と前記受け部の上端縁との間に挟持され、前記保持部が前記受け部の側方に突出するものである。前記嵌合支持部材は、合成樹脂製である。前記収容部の側面には、前記嵌合支持部材が係合する凸部を備えたものである。
【０００８】
前記受け部とこの受け部を支持した支柱部と台座部から成る仏飯器本体を備え、前記収容部は、前記受け部の凹部に収容されて側方からは見えなくなるものである。
【考案の効果】
【０００９】
本考案の仏飯器によれば、仏飯器本体の美観が長期に亘り維持され、ご飯を入れる収容部の洗浄や取り扱いも容易であり、仏飯器本体を傷つけることもないものである。
【考案を実施するための最良の形態】
【００１０】
以下、この考案の実施形態について図面に基づいて説明する。図１、図２はこの考案の一実施形態を示すもので、この実施形態の仏飯器１０は、ご飯を収容する別体の収容部１２が設けられ、収容部１２は、ステンレス等による金属製であり、上方に開口し、開口縁部に鍔部１２ａを備えた円形の深皿状に形成されている。鍔部１２ａは、図３に示すように、周縁部が折り返された折返し部１２ｂが形成され、鍔部１２ａの端面の指触りが滑らかになっている。この収容部１２は、ステンレス板を絞り加工により形成され、収容部１２の鍔部１２ａの下方の外側面には、凸部１２ｂが所定間隔で形成されている。
【００１１】
仏飯器本体１４は図示するように、凹部１６ａが形成された受け部１６と、この受け部１６を支持した支柱部１８と、台座部２０から成る。仏飯器本体１４は、真鍮等の金属による鋳造品であり、表面には装飾１５の凹凸が施され、金メッキまたはその他金色となる表面処理が施されている。
【００１２】
収容部１２を保持する受け部１６は、収容部１２が嵌合可能な内径の凹部１６ａを備えて形成されている。収容部１２は、受け部１６の凹部１６ａに収容された状態で、鍔部１２ａが受け部１６の開口上縁部１６ｂに当接し、収容部１２は側方からは見えなくなる。
【００１３】
収容部１２には、受け部１６に載置される際に嵌合される嵌合支持部材２２が取付けられる。嵌合支持部材２２は、環状に形成されて側方に保持部２４が突出し、収容部１２が嵌合されて、収容部１２の鍔部１２ａと受け部１６の開口上端縁部１６ｂとの間に挟持される。そして、嵌合支持部材２２は、収容部１２の凸部１２ｂに係合し、鍔部１２ａと凸部１２ｂの間に保持される。収容部１２とともに受け部１６に嵌合支持部材２２を取り付けた状態で、保持部２４は、受け部１２の側方に突出する。嵌合支持部材２２の保持部２４には、滑り止めの凹凸部２４ａが形成されている。嵌合支持部材２２は、シリコーン樹脂、ポリエチレン樹脂や塩化ビニル樹脂等の合成樹脂製であり、ある程度の柔軟性と弾力性がある。
【００１４】
この実施形態の仏飯器１０の使用方法は、仏飯器本体１４から収容部１２を取り外した状態でご飯を盛り、嵌合支持部材２２を収容部１２に嵌合する。この時、収容部１２の凸部１２ｂを嵌合支持部材２２が乗り越えるようにして装着する。そして、保持部２４を摘んで、仏飯器本体１４の受け部１６に収容部１２を嵌合する。この状態で、収容部１２は側方からは見えなくなり、保持部２４は、受け部１２の側方に突出する。
【００１５】
また、収容部１２に嵌合支持部材２２を嵌合した状態で、嵌合支持部材２２は、収容部１２の側周面に弾発的に嵌合し、自重で落下しない程度の摩擦を有して取り付けられる。
【００１６】
この考案の仏飯器によれば、仏飯器本体１４を直接取り扱うことが減り、装飾１５やその他表面の艶や美観が長期に亘り維持され、ご飯を入れる収容部１２の洗浄や取り扱いも簡単なものである。
【００１７】
なお、この考案は上記実施形態に限定されるものではなく、仏飯器の構造は自由に変更可能であり、上記以外の構成を組み合わせても良いものである。
択可能である。
【図面の簡単な説明】
【００１８】
【図１】この考案の一実施形態の仏飯器の斜視図である。
【図２】この実施形態の仏飯器の部分破断側面図である。
【図３】この実施形態の仏飯器の収容部の鍔部の部分拡大断面図である。
【符号の説明】
【００１９】
１０  仏飯器
１２  収容部
１２ａ  鍔部
１２ｂ  凸部
１４  仏飯器本体
１６  受け部
１６ａ  開口上端縁部
１８  支柱部
２０  台座部
２２  嵌合支持部材
２４  保持部
【図１】
0003140185.tif 000003
【図２】
0003140185.tif 000004
【図３】
0003140185.tif 000005